(57)【要約】【課題】  比較的安価に製造可能であり、それにも関わらず機能確実である搬出装置を提供する。【解決手段】  搬出装置（１）は、印刷製品（３）が工程毎に進められる流れで搬送される丁合い機会（３０）の搬送路（２）から印刷製品（３）を導出するために使用される。手段（１１，１４）が設けられており、これらの手段によって、導出すべき印刷製品（３）が、下に向かって搬送路（２）から導出可能である。特に、印刷製品（３）は、搬送路（２）の底部分（８）の開口部（１０）を経て、この搬送路から導出される。開口部に、フラップ（１１）が配設されており、このフラップは、印刷製品（３）を搬出するために、下及び後に向かって旋回可能である。【選択図】        図１
2005015229.tif 000002
【特許請求の範囲】
【請求項１】
印刷製品（３）が工程毎に進められる流れで搬送される丁合い機械（３０）の搬送路（２）から印刷製品（３）を導出するための搬出装置（１）において、
この搬出装置が、手段（１１，１４）を備え、これらの手段によって、搬送路から導出すべき印刷製品（３）が下に向かって導出可能であることを特徴とする搬出装置。
【請求項２】
導出すべき印刷製品（３）が、搬送路（２）の底部分（８）の開口部（１０）を経て、この搬送路から導出可能であることを特徴とする請求項１に記載の搬出装置。
【請求項３】
前記の開口部（１０）が、搬送路（２）の側方の案内壁（６）に対して間隔を置いて配設されていることを特徴とする請求項２に記載の搬出装置。
【請求項４】
開口部（１０）が、搬送路（２）の底部分（８）内に配設されていることを特徴とする請求項２又は３に記載の搬出装置。
【請求項５】
搬送装置（２）が、壁部分（２５）を備え、搬出すべき印刷製品（３）がこの壁部分（２５）の領域内に存在するやいなや、この壁部分が印刷製品（３）を導出するために下に向かって、特に同時に後に向かって運動可能であることを特徴とする請求項１〜４のいずれか１つに記載の搬出装置。
【請求項６】
壁部分（２５）が、運動可能な、特に旋回可能なフラップ（１１）であることを特徴とする請求項５に記載の搬出装置。
【請求項７】
フラップ（１１）が、軸（３９）を中心として旋回可能であり、この軸が、本質的に搬送路（２）の搬送方向（１８）に対して平行に延在することを特徴とする請求項６に記載の搬出装置。
【請求項８】
軸（３９）が、搬送路（２）の縁部（８ａ）の領域内に存在することを特徴とする請求項７に記載の搬出装置。
【請求項９】
導出すべき印刷製品（３）が、本質的に重力によって下に向かって導出されることを特徴とする請求項１〜８のいずれか１つに記載の搬出装置。
【請求項１０】
導出すべき印刷製品（３）が、支援装置によって、例えば送風ノズル（２９）からの空気によって加速されることを特徴とする請求項１〜９のいずれか１つに記載の搬出装置。
【請求項１１】
搬送路（２）に、スライダ（１４）が配設されており、このスライダによって、導出すべき印刷製品（３）が開口部（１０）に向かってスライド可能であることを特徴とする請求項１〜１０のいずれか１つに記載の搬出装置。
【請求項１２】
スライダ（１４）が、案内壁（６）の内もしくは後に配設されており、印刷製品（３）を搬出するために、搬送路（２）の搬送方向（１８）に対して横断方向に運動可能であることを特徴とする請求項１１に記載の搬出装置。
【請求項１３】
スライダ（１４）が、少なくとも１つのフィンガ（３５）を備え、このフィンガが、静止位置で案内壁（６）の相応の切欠き部（１５）内に配設されていることを特徴とする請求項１１又は１２に記載の搬出装置。
【請求項１４】
スライダ（１４）が、搬出の際、搬出すべき印刷製品（３）に搬送方向（１８）に付随するように案内されていることを特徴とする請求項１１〜１３のいずれか１つに記載の搬出装置。
【発明の詳細な説明】
【技術分野】
【０００１】
本発明は、印刷製品が工程毎に進められる流れで搬送される丁合い機械の搬送路から印刷製品を導出するための搬出装置に関する。
【背景技術】
【０００２】
前記の様式の搬出装置は、久しい前から公知である。これらの装置は、搬送路から瑕疵のある又は検査すべき印刷製品を、特に集積体又は個別紙葉を、製造を中断する必要なく工程毎に進められる流れから搬出するために使用される。印刷製品は、これらの搬出装置の場合、通常方向が印刷製品に対して垂直に上に向かって、又は印刷製品の表面に対して平行に側方に、又は適当に上に向かって搬送路から搬出される。搬出する際の方向変更は、形状一体的に制御可能なフラップか、又は垂直に印刷製品の側面に作用するグリップ要素かのいずれかによって行なわれる。
【０００３】
前記の様式の搬出装置は、例えば特許文献１から公知である。この搬出装置は、クランプシステムを備え、このクランプシステムは、前後のクランプ装置から成り、このクランプ装置は、それぞれ対でバネ要素の力の下で協働するクランプスタンプを備えている。これらのクランプスタンプによって、搬出すべき印刷製品が挟まれる。
【０００４】
特許文献２から、印刷製品を搬出するために、搬送路に対してある角度で配設されているコンベヤを備える搬出装置が公知である。このコンベヤを介して、無端のチェーンが延在し、この無端のチェーンは、チェーンホイールの両方の端部に保持されており、分岐コンベヤの構成要素を構成する。無端のチェーンには、多数の分岐ピンが配設されており、これらの分岐ピンは、走入位置と走出位置との間で旋回可能である。走出位置で、これらの分岐ピンは、瑕疵のある集積体を検出し、この集積体を搬送路から除去することができる。
【０００５】
特許文献１に記載の搬出装置によって、瑕疵のある印刷製品を、特に集積体を、丁合い機械を中断することなく取り除くことがそれ自身可能である。通常複数の印刷紙葉の集積体である印刷製品は、非常に異なった厚さであってよいので、この搬出装置は、この搬出装置が搬出すべき印刷製品の厚さに適合させることができるように形成されており、これは、比較的費用のかかる高価な構造を要した。
【特許文献１】独国特許出願公開第３７  ２１  ３９１号明細書
【特許文献２】スイス国特許第６５７  ５９８号明細書
【発明の開示】
【発明が解決しようとする課題】
【０００６】
本発明の基本にある課題は、比較的安価に製造可能であり、それにも関わらず機能確実である前記の様式の搬出装置を提供することである。搬出装置は、搬送路内で相前後して非常に異なった厚さの集積体が移送される場合でも確実に働くべきである。加えて、搬出装置は、異なった版、特に異なった背の部分の長さのためにも適すべきである。
【課題を解決するための手段】
【０００７】
本発明は、この種の搬出装置の場合、請求項１の特徴により解決される。本発明による搬出装置の場合、導出すべきもしくは搬出すべき印刷製品は、下に向かって搬送路から導出される。搬出すべき印刷製品は、クリップによって把持される必要があるのでも、ベルトの間に把持される必要があるのでもなく、重力の支援によって下に向かって搬出され、例えば搬送路の下に配設されたベルトコンベヤ上に搬出することができる。従って、非常に異なった厚さの製品ばかりでなく、異なった版、特に異なった背の部分の長さを有する印刷製品も搬出することができ、ここでは費用のかかる構造は必要ではない。
【０００８】
特に簡単な構造は、本発明の発展構成により、搬出すべき印刷製品が、搬送路の開口部を経て、この搬送路から導出可能である場合に得られる。
本発明の発展構成によれば、搬送路は、この開口部の領域内に底部分を備え、この底部分は、印刷製品を導出するために、印刷製品が少なくとも部分的にこの底部分に存在するやいなや下に向かって運動させられる。
【０００９】
特に機能確実な構成は、前記の底部分が、旋回可能なフラップである場合に得られる。このフラップは、印刷製品を導出するために、特に、このフラップが後及び下に向かって旋回可能であるように支承されている。フラップが、移送方向に対して垂直に後及び下に向かって旋回される場合、前記の開口部は、解放され、搬出すべき製品は、重力によって下に向かって、従って搬送路から脱落する。
【００１０】
印刷製品の導出は、本発明の発展構成によれば、特に前記の開口部の上に配設されている送風装置によって支援される。
【００１１】
本発明の発展構成によれば、搬送路に、少なくとも１つのスライダが配設されており、このスライダによって、搬出すべき印刷製品が、搬送路に対して横断方向にスライド可能であるように構成されている。スライダによって、印刷製品は、前記の開口部に向かってスライドさせられる。従って、非常に小さい版も機能確実に搬出することができる。
スライダは、本発明のある発展構成によれば、搬送路の案内壁の少なくとも１つの切欠き部を経て搬送路内へと運動可能である。
特に適した構成は、このスライダが、レーキの様式で形成されており、前記の案内壁が、このスライダの個々のフィンガのための複数の切欠き部を備える場合に得られる。従って、搬出すべき印刷製品は、非常に正確かつ迅速に前記の開口部内へと移送することができる。
本発明の発展構成によれば、スライダは、印刷製品の移送方向に、この印刷製品に付随するように案内されている。従って、特に確実かつ迅速な開口部への印刷製品のスライドが得られる。
【発明を実施するための最良の形態】
【００１２】
別の有利な特徴は、従属する特許請求項、以下の説明並びに図面から分かる。本発明の実施例を、以下で図面を基にして詳細に説明する。
【００１３】
図１は、それ自身公知の丁合い機械３０を示し、この丁合い機械は、搬送路２を備え、この搬送路内で、印刷製品３は、工程毎に進められる流れで連続的に矢印１８の方向に搬送される。搬送は、公知の方法で、例えば搬送装置４によって行なわれ、この搬送装置は、フィンガ状の複数のキャリヤ５を備え、このキャリヤは、印刷製品３を搬送路２内でスライドさせる。キャリヤ５は、図５によれば、無端のチェーン２４に固定されており、スリット９を経て上に向かって搬送路２内に突出する。
【００１４】
印刷製品３は、特に折り畳まれた紙葉２８から成る集積体であり、これらの紙葉によって、例えばここでは示されてない後続の接着バインダ内で、本が製造される。印刷製品３の背の部分の長さは、図１ではＬで記載されている。印刷製品３もしくは集積体の厚さは、非常に異なっている。印刷製品３は、個々の紙葉２８から成っていてもよい。搬送の際、印刷製品３は、背の部分３８でもって案内壁６に沿って案内されており、この案内壁は、底部分７から本質的に垂直に上に向かって突出する。底部分７は、本質的に水平であり、明らかなように、印刷製品３は、領域的にこの底部分７上に載っている。特に、印刷製品３の大きな領域は、上に向かって傾斜した底部分８上に載っており、この底部分は、例えば図４によれば、浅い角度で上に向かって傾斜している。印刷製品３は、相応にこの領域内で上に向かって整向されている。
【００１５】
丁合い機械３０は、搬出装置１を備え、この搬出装置は、搬送路２の一部分を構成する。この搬出装置１は、フレーム１７を備え、このフレームは、壁部分３１を備え、この壁部分は、搬出装置１の領域内で案内壁６の代わりをする。相応に、フレーム１７によって、底部分７及び８も、相応の壁部分３２及び３３によって代用される。従って、搬送路２は、搬出装置１の領域内で中断されていない。
【００１６】
搬出装置１は、個々の印刷製品３を搬送路２から導出するために使用される。これにより、一方で、瑕疵のある印刷製品３は取り除いたり、印刷製品３は検査のために搬出したりすることができる。搬出された瑕疵のある製品は、修復したり、他の目的に供給したりすることができる。印刷製品３の導出もしくは搬出が丁合い機械３０を停止することなく行なうことができることが重要である。従って、製造は、印刷製品３の搬出の際に中断される必要はない。
【００１７】
搬出装置１は、搬送路２内に開口部１０を備え、この開口部に、フラップ１１が付設されており、このフラップは、シャフト１３に固定されており、このシャフトは、軸３９を中心として回転可能にフレーム１７に支承されている。シャフト１３は、丁合い機械３０の長手方向に延在し、印刷製品３０の領域外に、並びに案内壁６に対して間隔を置いて存在する。加えて、シャフト１３は、底部分８の上に、ほぼこの底部分８の自由な縁部８ａの領域内に存在する。シャフト１３は、モータ１２又は適当な他の駆動機構によって制御されて回転可能である。静止位置で、フラップ１１は壁部分３３を補完し、従って、この静止位置では、印刷製品３が、搬出装置１の領域内でも支障なく搬送することができる。フラップ１１は、図１によれば、開口部１０に対応するように形成されており、フラップ１１の上面２７は、その上の最終位置で壁部分３３との面内に位置する。シャフト１３へのフラップ１１の接続は、互いに間隔を置いて配設された２つのアングル状のアーム２６によって行なわれ、これらのアームに、フラップ１１が固定されている。
【００１８】
開口部１０の下に、搬送装置１６、例えばベルトコンベヤが配設されており、その搬送方向は、図１では、搬送路２に対して直角の矢印１９によって図示されている。搬送装置１６の搬送面３４は、開口部１０の下に存在する。
【００１９】
印刷製品３を搬出するため、フラップ１１は、図２及び５に示された位置へと旋回可能である。この旋回運動の際、フラップ１１は、明らかなように下に向かって、また後に向かって運動させられ、従って、開口部１０は解放される。フラップ１１の旋回は、図４に図示されたモータ１２の制御装置２３の信号によって行なわれる。印刷製品３が、フラップ１１が転倒させられる際の開口部１０の上に存在する場合、この印刷製品は、重力に基づいて下に向かって搬送装置１６上に落下し、矢印１９の方向に搬出される。
【００２０】
図２は、印刷製品３’を示し、この印刷製品は、搬出され、搬送装置１６上で更に搬送される。これにより、印刷製品３の製品流内には、図２に示されているように、間隙が生じる。
【００２１】
特に小さい版を搬出するために、スライダ１４が設けられており、このスライダは、案内壁６もしくは壁部分３１の内もしくは後に配設されている。スライダ１４は、即ちレーキのように平行な複数のフィンガ５を備えており、これらのフィンガは、対応する壁部分３１の切欠き部１５内に配設されている。フィンガ３５は、壁部分３１に対して平行に配設されており、従って、静止位置で、壁部分３１を補完する。スライダ１４は、フレーム固定の案内３６に支承されており、少なくとも１つの遠隔操作可能な駆動機構によって、例えば図４による調整シリンダ２１によって水平に二重矢印２２の方向の前後に運動可能である。一方の終端位置で、フィンガ３５は、開口部１５内に存在し、図５による他方の終端位置では、壁部分３１の前で、スリット９の直前に存在する。スライダ１４の運動は、同様に制御装置２３の信号によって行なわれる。スライダ１４のスライド運動は、搬送路２の搬送方向に対して直角に行なわれる。選択的に、スライダ１４は、このスライダが搬出すべき印刷製品３をスライドさせる際に矢印１８による搬送方向に印刷製品３に付随するように案内することができる。加えて、スライダ１４は、開口部１０の縁部３７の領域内に配設されており、この縁部を介して搬出すべき印刷製品３が、下に向かって落下する。この縁部３７は、スリット９に対して平行にかつ比較的短い間隔を置いて延在する。スライダ１４によって、搬出すべき印刷製品３は、この縁部３７に向かって、従って開口部１０内へとスライドさせることができる。スライダ１４の運動及びフラップ１１の旋回運動は、搬出の際に正確に互いに調整され、従って、小さい版の印刷製品３も確実に開口部１０内へとスライドさせられる。明らかなように、印刷製品３は、それぞれ背の部分３８に沿ってスライドさせられる。スライダ１４によるこのスライド運動の間、搬出すべき印刷製品３は、当接するキャリヤ５によって搬送路２の方向に運動させられる。従って、これら両方の運動の結果として生じる運動は、搬送路２の搬送方向に対して横断方向に延在し、相応の印刷製品３を開口部１０内へとスライドさせ、ここで、印刷製品は、重力によって下に向かって搬送装置１６上に落下する。フラップ１１の旋回及びスライダ１４のスライドのための開始時点は、版に依存し、制御装置２３によって版に基づいて計算され、実施される。これは、スライダ１４及びフラップ１１の前進運動のためにも後退運動のためにも当て嵌まる。搬出後、スライダ１４及びフラップ１１は、直ちに、再び図１に示された初期位置に運動させられる。従って、搬出装置１は、再び別の搬出工程のために準備ができている。
【００２２】
搬出装置１によって、個々の印刷製品３は、当然相前後する複数の複数の印刷製品３も、搬出することができる。搬出は、自動又は手動で行なうことができる。瑕疵のある印刷製品３は、例えばセンサによって確認することができ、制御装置２３に対する相応の信号によって搬送路２から搬出することができる。検査目的のために、制御装置２３は、この制御装置が自動的に印刷製品３を搬出するように調整することができる。
【００２３】
印刷製品３の搬出は、図４によれば、１つ又は複数の送風ノズル２９によって加速させることができ、これらの送風ノズルは、開口部１０の上に配設されている。それぞれの搬出工程において、送風ノズル２９によって、空気が搬出すべき印刷製品の上面に導かれ、これにより重力が支援される。送風ノズル２９は、フラップ１１の下で空間２０内に配設されている吸引装置によって代替することもできる。しかしながらまた、基本的に、他の補助手段も、例えば、搬出すべき印刷製品３の運動を下に向かって支援する機械的な補助手段も可能である。基本的に、このような支援手段も、スライダ１４も設けられておらず、従って、搬出すべき印刷製品３が独自に重力に基づいて開口部１０を経て下に向かって搬出される構成も考えられる。
【００２４】
明らかなように、印刷製品３の厚さへの適合は必要ない。従って、異なった厚さの印刷製品３は、容易に搬出することができる。印刷製品３は、搬出の際、例えばグリッパによって把持される必要がなく、従って、損傷を受けることができない。搬送装置１６は搬送路２の下に配設することができるので、搬送路２へのアプローチ性は妨害されない。従って、本発明による搬出装置は、比較的僅かな頑丈な部分で実現することができ、加えて、相前後して異なった厚さの印刷製品が搬出されなければならない場合でも、機能確実である。
【図面の簡単な説明】
【００２５】
【図１】概略的に、単に図示しただけの丁合い機械内の本発明による搬出装置の立体図を示す。
【図２】印刷製品を搬出した後の図１による別の図を示す。
【図３】本発明による搬出装置の別の図を示す。
【図４】概略的に、図１による搬出装置を経る垂直断面図を示す。
【図５】図２による断面図を示す。
【符号の説明】
【００２６】
１      搬出装置
２      搬送路
３      印刷製品
４      搬送装置
５      キャリヤ
６      案内壁
７      底部分
８      底部分
８ａ    縁部
９      スリット
１０    開口部
１１    フラップ
１２    モータ
１３    シャフト
１４    スライダ
１５    切欠き部
１６    搬送装置
１７    フレーム
１８    矢印
１９    矢印
２５    壁部分
２８    紙葉
３０    丁合い機械
３１    壁部分
３２    壁部分
３３    壁部分
３４    搬送面
３７    縁部
３８    背の部分
３９    軸
Ｌ      背の部分の長さ
【図１】
2005015229.tif 000003
【図２】
2005015229.tif 000004
【図３】
2005015229.tif 000005
【図４】
2005015229.tif 000006
【図５】
2005015229.tif 000007